(57)【特許請求の範囲】
【請求項１】
他の投射型画像表示装置と共にマルチスクリーン表示を実行可能な投射型画像表示装置であって、
画像を投射する投射手段と、
前記投射手段による画像の第１投射領域のうち、他の投射型画像表示装置による画像の第２投射領域と重複せず、前記第２投射領域の周縁領域と重複する周縁重複領域を複数の分割領域に分割する分割手段と、
前記分割手段により分割された第１分割領域に対応する画像に対して加算される第１オフセットを決定すると共に、前記第１分割領域よりも前記第２投射領域から遠い第２分割領域に対応する画像に対して加算される第２オフセットを前記第１オフセットよりも輝度を高めるための補正量が大きくなるように決定する決定手段と、
を有することを特徴とする投射型画像表示装置。
【請求項２】
前記周縁重複領域を分割するための境界を指定する指定手段を更に有することを特徴とする請求項１に記載の投射型画像表示装置。
【請求項３】
前記投射手段により前記画像と共に投射されるマーカーの表示位置を移動させる移動手段を更に有し、
前記指定手段は、前記移動手段による前記マーカーの移動後の位置に基づいて、前記境界を指定する
ことを特徴とする請求項２に記載の投射型画像表示装置。
【請求項４】
前記第１分割領域に対応する画像に対して加算される前記第１オフセットは前記第１分割領域内の位置によらず一定であり、前記第２分割領域に対応する画像に対して加算される前記第２オフセットは前記第２分割領域内の位置によらず一定であることを特徴とする請求項１乃至３の何れか１項に記載の投射型画像表示装置。
【請求項５】
前記決定手段は、前記第１分割領域のうち第１領域に対応する画像に対して加算されるオフセットよりも、前記周縁重複領域のうち前記第１領域よりも前記第２投射領域から遠い第２領域に対応する画像に対して加算されるオフセットのほうが輝度を高めるための補正量が大きくなるように、前記第１分割領域に対応する画像に対して加算される前記第１オフセットを決定することを特徴とする請求項１乃至３の何れか１項に記載の投射型画像表示装置。
【請求項６】
前記決定手段は、前記第２分割領域のうち第１領域に対応する画像に対して加算されるオフセットよりも、前記第２分割領域のうち前記第１領域よりも前記周縁重複領域から遠い第２領域に対応する画像に対して加算されるオフセットのほうが輝度を高めるための補正量が大きくなるように、前記第２分割領域に対応する画像に対して加算される前記第２オフセットを決定することを特徴とする請求項１乃至３の何れか１項に記載の投射型画像表示装置。
【請求項７】
他の投射型画像表示装置と共にマルチスクリーン表示を実行可能な投射型画像表示装置の制御方法であって、
画像を投射手段に投射させる制御工程と、
前記投射手段による画像の第１投射領域のうち、他の投射型画像表示装置による画像の第２投射領域と重複せず、前記第２投射領域の周縁領域と重複する周縁重複領域を複数の分割領域に分割する分割工程と、
前記分割工程により分割された第１分割領域に対応する画像に対して加算される第１オフセットを決定すると共に、前記第１分割領域よりも前記第２投射領域から遠い第２分割領域に対応する画像に対して加算される第２オフセットを前記第１オフセットよりも輝度を高めるための補正量が大きくなるように決定する決定工程と、
を有することを特徴とする制御方法。
【請求項８】
前記周縁重複領域を分割するための境界を指定する指定工程を更に有することを特徴とする請求項７に記載の制御方法。
【請求項９】
前記投射手段により前記画像と共に投射されるマーカーの表示位置を移動させる移動工程を更に有し、
前記指定工程は、前記移動工程による前記マーカーの移動後の位置に基づいて、前記境界を指定する
ことを特徴とする請求項８に記載の制御方法。
【発明の詳細な説明】
【技術分野】
【０００１】
本発明は、他の投射型画像表示装置と共にマルチスクリーン表示を実行可能な投射型画像表示装置及びその制御方法に関する。
【背景技術】
【０００２】
従来、複数の投射型画像表示装置を用いてマルチスクリーンを構成する場合、隣接する投射型画像表示装置毎に画像の重複領域を設け、その重複領域の画像信号に対して輝度補正を行うことで継目を目立たなくしている。また、その重複領域を所定の幅とすることにより、投射型画像表示装置毎に輝度や色味などの特性が若干異なっていても、視認されにくくしている。
【０００３】
ここで、投射型画像表示装置は、透過型では透過光を、反射型では反射光を完全に遮断することができないため、黒表示でも微小な輝度を持つ。従って、マルチスクリーン構成における黒表示では、有効画像の重複領域の輝度が有効画像の重複領域外の輝度より高くなってしまい継目が視認されてしまう。
【０００４】
特許文献１には、隣接する投射型画像表示装置毎の有効画像の重複領域と有効画像の重複領域外とを独立に調整する技術が開示されている。また、特許文献２には、マルチスクリーンを構成した際の輝度分布に応じて、画像信号にオフセット値を加算する技術が開示されている。
【先行技術文献】
【特許文献】
【０００５】
【特許文献１】特開２００２−２６８６２５号公報
【特許文献２】特開２００３−２７４３１９号公報
【発明の概要】
【発明が解決しようとする課題】
【０００６】
ところで、例えば、反射型表示デバイスは構造上、有効画像領域の外側に素子の駆動回路があり、この駆動回路からの不要な反射光を無くすために黒表示と同等反射となるダミー画素を持つ。また、有効画像領域外への照明光を遮断するため遮光マスクを備える。遮光マスクは、ダミー画素を含め有効画像領域外を全て遮光するのが理想であるが、実際にはダミー画素部分は完全に遮光できない。この遮光できない部分のダミー画素が、有効画像領域の外周に所定の幅あり、有効画像領域の黒表示と同程度の反射光（周縁反射光）となる。また、遮光マスクにおいても微小ながら反射光（マスク反射光）がある。従って、反射型の投射型画像表示装置を複数用いてマルチスクリーンを構成する場合、これらの反射光が有効画像領域に重畳されることとなる。
【０００７】
また、例えば、キーストン補正を併用する場合、補正後の有効画像領域外に黒表示領域が生じ、この黒表示領域が隣接する投射型画像表示装置の有効画像領域に重複されることとなる。
【０００８】
しかし、特許文献１に開示された技術では、隣接する投射型画像表示装置毎の画像重複領域と画像重複領域外とで領域の判断を行っている。そのため、反射型の投射型表示装置を利用した場合、画像重複領域外にある周縁反射光やマスク反射光に対する領域判断ができない。キーストン補正を併用した場合も同様に、キーストン補正後の黒表示領域に対する領域判断ができない。従って、これらの領域が重複されることによる輝度変化に対する補正ができないという課題がある。
【０００９】
一方、特許文献２に開示された技術では、反射型の投射型画像表示装置を利用した場合の周縁反射光やマスク反射光、あるいは、キーストン補正を併用した場合の黒表示領域を含めて、マルチスクリーン構成における輝度分布として補正が可能である。しかし、投射型画像表示装置はこれらの領域を判断する手段を持たないため、簡易に補正を行えないという課題がある。
【００１０】
本発明は、他の投射型画像表示装置と協働して、黒表示においても輝度変化が視認されないマルチスクリーン画面を構成可能な投射型画像表示装置を提供する。また、本発明は、例えば、有効画像の重複領域外にある周縁反射光やマスク反射光、あるいはキーストン補正を併用した場合でも、黒表示領域の判断を可能にする。
【課題を解決するための手段】
【００１１】
本発明の一側面によれば、他の投射型画像表示装置と共にマルチスクリーン表示を実行可能な投射型画像表示装置であって、画像を投射する投射手段と、前記投射手段による画像の第１投射領域のうち、他の投射型画像表示装置による画像の第２投射領域と重複せず、前記第２投射領域の周縁領域と重複する周縁重複領域を複数の分割領域に分割する分割手段と、前記分割手段により分割された第１分割領域に対応する画像に対して加算される第１オフセットを決定すると共に、前記第１分割領域よりも前記第２投射領域から遠い第２分割領域に対応する画像に対して加算される第２オフセットを前記第１オフセットよりも輝度を高めるための補正量が大きくなるように決定する決定手段とを有することを特徴とする投射型画像表示装置が提供される。
【発明の効果】
【００１２】
本発明によれば、他の投射型画像表示装置と協働して構成されるマルチスクリーン画面において、有効画像の重複領域外にある周縁反射光やマスク反射光、あるいは黒表示領域を考慮した黒表示の補正を簡易に行うことができる。そのため、黒表示においても画面の一体感を損なうことのないマルチスクリーン画面を構成可能な投射型画像表示装置が提供される。
【図面の簡単な説明】
【００１３】
【図１】実施形態における投射型画像表示装置の概略ブロック図。
【図２】投射型画像表示装置を横に２台並べた場合の説明図。
【図３】投射型画像表示装置を横に２台並べ、キーストン補正を適用した場合の説明図。
【図４】投射型画像表示装置を縦横にそれぞれ２台並べた場合の説明図。
【図５】実施形態における投射型画像表示装置の構成を示すブロック図。
【図６】実施形態における投射型画像表示装置の制御手順を示すフローチャート。
【発明を実施するための形態】
【００１４】
以下、図面を参照して本発明の好適な実施形態について詳細に説明する。なお、本発明は以下の実施形態に限定されるものではなく、本発明の実施に有利な具体例を示すにすぎない。また、以下の実施形態の中で説明されている特徴の組み合わせの全てが本発明の課題解決のために必須のものであるとは限らない。
【００１５】
本実施形態における投射型画像表示システムは、複数の投射型画像表示装置を含み、これらの投射型画像表示装置を用いて、マルチスクリーン画面を構成するものである。図１は、上記複数の投射型画像表示装置のうちの１つについての概略ブロックの一例を示す。この投射型画像表示装置は、画像重複部補正回路１００、黒表示補正回路２００、ライトバルブ駆動部３００、ライトバルブ４００を備える。
【００１６】
複数の投射型画像表示装置を用いてマルチスクリーン画面を構成する場合、隣接する投射型画像表示装置毎に重複する画像領域を設ける。画像重複部補正回路１００は、重複領域の画像信号に対して輝度補正を行うことで継目を目立たなくするものである。画像重複部補正回路１００は、補正タイミング生成回路１１０、補正係数生成回路１２０、乗算器１３０を含む。
【００１７】
補正タイミング生成回路１１０は、同期信号から画像重複領域における画素位置を生成する。補正係数生成回路１２０は、補正タイミング生成回路１１０で生成された画素位置を基に画像重複領域における補正係数を生成する。乗算器１３０は、補正係数生成回路１２０で生成された補正係数を入力画像信号に乗じて、これにより輝度補正された画像信号を出力する。
【００１８】
黒表示補正回路２００は、座標指定部２１０、オフセット付加タイミング生成回路２２０、オフセット値生成回路２３０、加算器２４０を含む。座標指定部２１０は、画像の領域分割を行う際に、領域の境界を表す座標値を指定する。境界の指定は、例えば、少なくとも２つの座標を指定することで行われる。領域は、その指定された座標を結ぶ直線で分割される。オフセット付加タイミング生成回路２２０は、座標指定部２１０で指定された座標と同期信号とから輝度値のオフセットを付加するタイミングを生成する。オフセット値生成回路２３０は、オフセット付加タイミング生成回路２２０で生成されたオフセット付加タイミングに合わせて、分割された領域毎の輝度のオフセット値を生成する。加算器２４０は、オフセット値生成回路２３０で生成されたオフセット値を画像重複部補正回路１００で輝度補正された画像信号に加算する。このようにして、黒表示補正回路２００は、黒表示における輝度が均一になるよう補正する。
【００１９】
画像重複部補正回路１００で画像重複領域の輝度補正が行われ、かつ、黒表示補正回路２００で黒表示補正が行われた画像信号は、ライトバルブ駆動部３００、ライトバルブ４００を介して投射される。
【００２０】
次に、黒表示補正回路２００の動作について具体的に説明する。
図２（Ａ）は反射型の投射型画像表示装置を横に２台並べた場合の投射画像を示す。なお、左側投射画像は破線で示す。図２（Ａ）において、１０００は有効画像領域である。１１００は反射型表示デバイスにおいて有効画像領域の外周に存在する反射光の重複領域（周縁反射重複領域）である。１２００は表示デバイスへの照明光を遮断するための遮光マスクにおける反射光の重複領域（マスク反射重複領域）である。破線で示す左側の投射画像においても、有効画像領域の外側に同様の反射光領域が存在し、右側の投射画像における有効画像領域に重複して投射される。これらの領域を（１）〜（４）で示す。（１）は有効画像同士が重複する第１の領域である。一方、（２）〜（４）は有効画像同士が重複する第１の領域以外の第２の領域である。第２の領域は、具体的には、（２）の周縁反射重複領域、（３）のマスク反射重複領域、（４）の非重複領域に分けることができる。
【００２１】
図２（Ｂ）は、図２（Ａ）の投射画像の黒表示における輝度断面例を示す図である。図に示す通り、領域（１）が最も輝度が高く、次いで（２）→（３）→（４）と輝度が低下する。黒表示における補正では、これらの領域を独立に指定し補正する必要がある。
【００２２】
図２（Ｃ）は、座標指定部２１０での座標指定例を示す。図２の例では、有効画像領域に上述した如く４つの輝度領域が存在する。従って、座標指定部２１０では、Ｐ１０（ｘ１，０）−Ｐ１１（ｘ１，ｙｍａｘ）、Ｐ２０（ｘ２，０）−Ｐ２１（ｘ２，ｙｍａｘ）、Ｐ３０（ｘ３，０−Ｐ３１（ｘ３，ｙｍａｘ）の６つの座標値をそれぞれ対で指定する。これにより指定された座標値によって規定される境界で画像が分割されることになる。指定方法は特に限定するものではないが、例えばマーカーを表示しそのマーカーを移動させるなどの方法をとることができる。この例では、それぞれ対で指定する座標を結ぶ直線のｘ座標は同一である。従って、画面左上を座標の原点として、ｘ＜ｘ１，ｘ１≦ｘ＜ｘ２、ｘ２≦ｘ＜ｘ３、ｘ３≦ｘのタイミングをオフセット付加タイミング生成回路２２０で生成する。
【００２３】
そして、オフセット値生成回路２３０は、分割された領域毎に、例えば図２（Ｄ）で示すように、（１）の領域の輝度に適合するようなオフセット値を生成し、加算器２４０で当該分割された領域の画像信号に加算する。ところで、領域（１）〜（４）の輝度は急峻に変化するものではないため、領域毎に一様なオフセット値とした場合、領域の境界が視認される可能性がある。そこで、例えば、図２（Ｅ）で示すように、領域（１）に離れるに従い徐々に大きくなるオフセット値を生成するようにしてもよい。具体的には例えば、領域を分割する線分から離れるに従って徐々に隣接する領域のオフセット値と等しくなるような補正値をオフセット値生成回路２３０で生成するようにしてもよい。
【００２４】
図３は、反射型の投射型画像表示装置を横に２台並べ、キーストン補正を適用した場合の投射される画像を示す。図３（Ａ）において、１０００は有効画像領域、１００１はキーストン補正適用による黒表示領域、１１００は反射型表示デバイスにおいて有効画像領域の外周に存在する反射光（周縁反射光）領域である。なお、ここでは、説明を簡略化するため、図２で示した、マスク反射重複領域はないものとする。また、（１）は有効画像の重複領域、（１）’はキーストン補正適用による黒表示の重複領域、（２）は周縁反射重複領域、そして（３）は非重複領域である。ここで、領域（１）と領域（１）’は、いずれも左側画像の黒表示が重複される領域であるため同じ輝度となる。
【００２５】
図３（Ｂ）は、座標指定部２１０での座標指定例を示し、Ｐ１０（ｘ１０，０）−Ｐ１１（ｘ１１，ｙｍａｘ）、Ｐ２０（ｘ２０，０）−Ｐ２１（ｘ２１，ｙｍａｘ）の４つの座標をそれぞれ対で指定する。この例では、水平方向（ｘ座標）のみの分割であり、画面左上を座標の原点として水平位置をｘ１、ｘ２、垂直位置をｙとすると以下の式でそれぞれの領域に分割することができる。
ｘ１＝ｘ１０＋｛（ｘ１１−ｘ１０）／ｙｍａｘ｝×ｙ、
ｘ２＝ｘ２０＋｛（ｘ２１−ｘ２０）／ｙｍａｘ｝×ｙ
従って、ｘ＜ｘ１，ｘ１≦ｘ＜ｘ２、ｘ２≦ｘのタイミングをオフセット付加タイミング生成回路２２０で生成する。そして、それぞれの座標で分割される領域に対して個別のオフセット値をオフセット値生成回路２３０で生成し、加算器２４０で画像信号に加算する。
【００２６】
図４（Ａ）は、反射型の投射型画像表示装置を縦横にそれぞれ２台並べた場合の投射画像を示す。なお、着目投射画像以外は破線で示す。ここで、それぞれの投射画像には周縁反射光領域があるものとしている。この場合、着目投射画像には、領域（１）〜（９）が生じる。（１）は有効画像の４面重複領域、（２）は有効画像の２面重複領域＋周縁反射重複領域、（３）は有効画像の２面重複領域、（４）は有効画像の２面重複領域＋２面周縁反射重複領域である。さらに、（５）は２面周縁反射重複領域、（６）は周縁反射重複領域、（７）は有効画像の２面重複領域、（８）は周縁反射重複領域、そして（９）は非重複領域である。
【００２７】
図４（Ｂ）は、座標指定部２１０での座標指定例を示す。図４の例では、有効画像領域に上述した如く９つの輝度領域が存在する。座標指定部２１０では、水平方向の領域分割として、Ｐｘ１０（ｘ１，０）−Ｐｘ１１（ｘ１，ｙｍａｘ）、Ｐｘ２０（ｘ２，０）−Ｐｘ２１（ｘ２，ｙｍａｘ）の４つの座標をそれぞれ対で指定する。また、垂直方向の領域分割として、Ｐｙ１０（０，ｙ１）−Ｐｙ１１（ｘｍａｘ，ｙ１）、Ｐｙ２０（０，ｙ２）−Ｐｘ２１（ｘｍａｘ，ｙ２）の４つの座標をそれぞれ対で指定する。
【００２８】
この例では、それぞれ対で指定する座標を結ぶ直線のｘ座標及びｙ座標は同一である。従って、画面左上を座標の原点として、ｘ＜ｘ１，ｘ１≦ｘ＜ｘ２、ｘ２≦ｘ＜ｘ３、ｘ３≦ｘ、及び、ｙ＜ｙ１，ｙ１≦ｙ＜ｙ２、ｙ２≦ｙ＜ｙ３、ｙ３≦ｙの９つの組み合わせでそれぞれの領域を指定可能である。これら９つのタイミングをオフセット付加タイミング生成回路２２０で生成する。そして、それぞれの座標で分割される領域に対して、個別のオフセット値をオフセット値生成回路２３０で生成し、加算器２４０で画像信号に加算する。
【００２９】
本実施形態によれば、有効画像の重複領域外に重複される周縁反射光やマスク反射光、あるいはキーストン補正併用時の黒表示領域を考慮して、個別の領域指定が可能である。また、個別に指定した領域毎に独立してオフセットを付加することが可能となる。これにより、黒表示でも継目が目立たず画面の一体感を損なうことのないマルチスクリーン画面を提供することが可能となる。
【００３０】
上述した実施形態において、投射型画像表示装置の各機能は専用回路によって構成されてもよいし、図５に示すように、コンピュータで制御される構成をとってもよい。図５の例では、画像重複部補正回路１００、黒表示補正回路２００、ライトバルブ駆動部３００はそれぞれ、ＣＰＵ５００により制御される。ＣＰＵ５００には、主記憶装置として機能するＲＡＭ６００、固定的なデータやプログラムを記憶しているＲＯＭ７００も接続されている。ＲＯＭ７００は、制御プログラム７１０を含み、ＣＰＵ５００がこの制御プログラム７１０を実行することにより上述したような制御処理が実現される。すなわち、ＣＰＵ５００は、図６のフローチャートに示すように、座標指定部２１０で指定された座標値に基づき領域を分割し（Ｓ１０）、分割された領域毎に、オフセット値を画像信号に加算することで画像信号を補正する（Ｓ２０）。
【００３１】
（他の実施形態）
また、本発明は、以下の処理を実行することによっても実現される。即ち、上述した実施形態の機能を実現するソフトウェア（プログラム）を、ネットワーク又は各種記憶媒体を介してシステム或いは装置に供給し、そのシステム或いは装置のコンピュータ（またはＣＰＵやＭＰＵ等）がプログラムを読み出して実行する処理である。この場合、そのプログラム、及び該プログラムを記憶した記憶媒体は本発明を構成することになる。
【図１】
0005812674.tif 000002
【図５】
0005812674.tif 000003
【図６】
0005812674.tif 000004
【図２】
0005812674.tif 000005
【図３】
0005812674.tif 000006
【図４】
0005812674.tif 000007